(57)【要約】【課題】電気泳動表示装置の表示領域の一部分のみを駆動する部分駆動において輪郭残像を極力発生させない駆動方法を提供する。【解決手段】電気泳動による表示画素を複数マトリクス状に配置してなる電気泳動表示器にパターン画像を表示する電気泳動表示装置の駆動方法において、予め上記電気泳動表示器に表示すべき表示パターンを複数のパターンに分割して複数の分割パターンデータとして記憶しておくステップと、上記電気泳動表示器に上記複数の分割パターンデータを時分割的に供給して表示パターン全体を表示させるステップと、上記電気泳動表示器に上記表示パターンのデータを供給し、表示された表示パターン全体を消去するステップと、を含む。【選択図】図３
2011227147.tif 000002
【特許請求の範囲】
【請求項１】
電気泳動による表示画素を複数マトリクス状に配置してなる電気泳動表示器にパターン画像を表示する電気泳動表示装置の駆動方法であって、
予め前記電気泳動表示器に表示すべき表示パターンを複数のパターンに分割して複数の分割パターンデータとして記憶しておくステップと、
前記電気泳動表示器に前記複数の分割パターンデータを時分割的に供給して表示パターン全体を表示させるステップと、
前記電気泳動表示器に前記表示パターンのデータを供給し、表示された表示パターン全体を消去するステップと、
を含む電気泳動表示装置の駆動方法。
【請求項２】
前記複数の分割パターンデータは、表示すべきパターンの少なくとも輪郭部のパターンデータと非輪郭部のパターンデータとに分割される、請求項１に記載の電気泳動表示装置の駆動方法。
【請求項３】
前記非輪郭部のパターンデータを表示した後に輪郭部のパターンデータを表示する、請求項２に記載の電気泳動表示装置の駆動方法。
【請求項４】
輪郭部のパターンデータの表示は非輪郭部のパターンデータの表示よりも弱い表示エネルギーで行われる、請求項２又は３に記載の電気泳動表示装置の駆動方法。
【請求項５】
前記消去するステップは、表示された表示パターン全体を同時に消去する請求項１乃至４のいずれかに記載の電気泳動表示装置の駆動方法。
【請求項６】
前記消去するステップは、表示された表示パターンの輪郭部のパターンを消去するステップと非輪郭部のパターンを消去するステップとを含み、
前記輪郭部のパターンの消去は前記非輪郭部のパターンよりも強いエネルギーで行われる、請求項２乃至３のいずれかに記載の電気泳動表示装置の駆動方法。
【請求項７】
前記表示又は消去のエネルギーは、電気泳動表示器の画素電極に印加される駆動電圧と駆動時間の積で表される、請求項４又は６に記載の電気泳動表示装置の駆動方法。
【発明の詳細な説明】
【技術分野】
【０００１】
本発明は、電気泳動表示装置（ＥＰＤ）を駆動する駆動方法に関し、特に画像を消去したときの残像を軽減可能な駆動方法に関する。
【背景技術】
【０００２】
電気泳動表示装置は紙媒体などの代用品として注目されている。電気泳動表示装置は、２つの電極間に着色帯電粒子と分散媒を詰めたマイクロカプセルを配置し、帯電粒子にバイアス電圧を印加することによって透明電極側（可視位置）に移動させることによって画素の表示を行っている。電気泳動表示装置は、表示情報を更新するときに電気泳動粒子を移動するために電力を消費するが、一旦表示が更新された後は電力を必要としないので低消費電力である。このため、例えば、低消費電力・長時間動作が要求される電池式時計の表示器に用いて具合がよい。例えば、特開２００７−２０６２６７号公報、特開２００８−２４２３８３号公報には、電気泳動表示装置の例が記載されている。
【先行技術文献】
【特許文献】
【０００３】
【特許文献１】特開２００７−２０６２６７号公報
【特許文献２】特開２００８−２４２３８３号公報
【発明の概要】
【発明が解決しようとする課題】
【０００４】
電池式時計は電池交換インターバルが長いことが望まれる。このため、時計用の電気泳動表示装置には低消費電力化の工夫が種々施されている。例えば、電気泳動表示装置は画像表示の更新（表示の消去＋データ書込み）の際に電力を消費するので、表示画面全体あるいはある表示領域の範囲を背景と表示パターンとを共に消去するのではなく、表示パターン上に同じパターンの反転データを書き込んで消去して書換る画素を少なくする。このような部分駆動をした場合に、元の表示パターンの輪郭の残像が発生する場合がある。そこで、元のパターンよりも僅かに大きい反対色パターンで消去を行ったり、輪郭残像の上に適当な画素幅の輪郭だけの反対色パターンを重ねて消去を行うことで、輪郭残像を消滅して新たなデータの書込を行える。
【０００５】
しかしながら、輪郭残像は消滅するが、書込のエネルギー（パルス電圧×時間）と消去のエネルギー（パルス電圧×時間）のバランス（いわゆるＤＣバランス）がとれない。ＤＣバランスは、電気泳動表示装置の表示シート一面に渡っての、黒表示向けの一方極性の電界エネルギーと白表示向けの他方極性の電界エネルギーの総和（電界の強さ×印加時間の総和）とのバランスである。このＤＣバランスが崩れると、電気泳動表示シートに一種の電気化学的反応を生ぜしめて非可逆なダメージ、例えば、電極の着色化やディスプレイの焼き付きのような状態を与え、製品の信頼性に大きな影響を与える。
【０００６】
そこで、本発明は電気泳動表示装置の表示領域の一部分のみを駆動する部分駆動において、輪郭残像を極力発生させない駆動方法を提供することを一つの目的とする。
【０００７】
また、本発明は可及的にＤＣバランスを崩さない電気泳動表示装置の駆動方法を提供することを一つの目的とする。
【課題を解決するための手段】
【０００８】
上記目的を達成する本発明の一つの形態は、電気泳動による表示画素を複数マトリクス状に配置してなる電気泳動表示器にパターン画像を表示する電気泳動表示装置の駆動方法であって、予め上記電気泳動表示器に表示すべき表示パターンを複数のパターンに分割して複数の分割パターンデータとして記憶しておくステップと、上記電気泳動表示器に上記複数の分割パターンデータを時分割的に供給して表示パターン全体を表示させるステップと、上記電気泳動表示器に上記表示パターンのデータを供給し、表示された表示パターン全体を消去するステップと、を含む。
【０００９】
かかる構成とすることによって、表示の際に発生する斜め電界の強度をさげて帯電粒子のマイクロカプセルの壁へのくっつきを防止する。また、消去の際には表示よりも相対的に強い斜め電界で帯電粒子を壁から剥がすことによって輪郭残像の発生を防止する。なお、分割パターンデータを予め記憶するのではなく、表示あるいは消去の都度表示すべき表示パターンから分割して形成することとしても良いが、本発明と時間的な相違はあるが、実質的に同じ発明と考えられる。
【００１０】
上記複数の分割パターンデータは、表示すべきパターンの少なくとも輪郭部のパターンデータと非輪郭部のパターンデータとに分割されることが望ましい。それにより、パターンの輪郭に沿って斜め電界を弱くすることが可能となる。
【００１１】
上記非輪郭部のパターンデータを表示した後に輪郭部のパターンデータを表示することが望ましい。それにより、画像の表示が視覚的に違和感なく行われる。
【００１２】
上記非輪郭部のパターンデータの表示は上記輪郭部のパターンデータの表示よりも相対的に強い表示エネルギーで行われる（あるいは、輪郭部のパターンデータの表示は非輪郭部のパターンデータの表示よりも弱い表示エネルギーで行われる）ことが望ましい。それにより、輪郭部の斜め電界の強度を下げることができる。
【００１３】
上記消去するステップは、表示された表示パターン全体を同時に消去することが望ましい。それにより、表示の際の斜め電界よりも消去の際の斜め電界の強度を大とすることができる。
【００１４】
上記消去するステップは、表示された表示パターンの輪郭部のパターンを消去するステップと非輪郭部のパターンを消去するステップとを含み、上記輪郭部のパターンの消去は上記非輪郭部のパターンよりも強いエネルギーで行われることが望ましい。それにより、消去の際にパターンの輪郭の斜め電界が強くなって輪郭残像が残りにくくなる（マイクロカプセルの壁にくっついた耐電粒子の壁からの剥離が促進される）。
【００１５】
上記表示又は消去のエネルギーは、電気泳動表示器の画素電極に印加される駆動電圧と駆動時間の積で表される。更には、表示器の全面積について累積値として表示エネルギー及び消去のエネルギーは求められ、それらの値が可及的にバランスするように、設定されることが望ましい。
【００１６】
上記表示又は消去のエネルギーは、パルス電圧の幅、パルス電圧のレベル、パルスの回数として求めることができる。
【発明の効果】
【００１７】
本発明の電気泳動表示装置の駆動法によれば、部分駆動において輪郭残像を極力発生させない駆動方法が得られる。また、可及的にＤＣバランスを崩さない電気泳動表示装置の駆動方法が得られる。
【図面の簡単な説明】
【００１８】
【図１】部分書換における輪郭残像の発生を説明する説明図である。
【図２】輪郭残像の原因となる斜め電界を説明する説明図である。
【図３】表示基画像のパターン分割を書換を説明する説明図である。
【図４】電気泳動表示装置を表示器に使用する時計装置を説明するブロック図である。
【図５】電気泳動表示装置６の例を説明するブロック図である。
【図６】画素回路２０の構成を説明する説明図である。
【図７】画素回路２０の機能を説明する説明図である。
【図８】画像の表示例を説明する説明図である。
【図９】実施例１を説明する信号タイミング図である。
【図１０】実施例２を説明する信号タイミング図である。
【図１１】実施例３を説明する信号タイミング図である。
【発明を実施するための形態】
【００１９】
以下、本発明の実施の形態について図面を参照しつつ説明する。
まず、図１を参照して電気泳動表示装置の部分駆動における残像について説明する。同図のＡに示すように、表示器の画像メモリの全画素に白表示に対応する画素データ「０」が書き込まれ、この画像データによって表示器が駆動されて表示器は無色の表示状態になっている（消去状態）。
【００２０】
次に、図１のＢに示すように、無色の領域に、例えば、パターン“０”を表示する部分書換を行う。画像メモリの当該領域のパターン“０”部分を構成する各画素のデータを「１」とし、非パターン部分を構成する各画素のデータをデータ「０」のままとして部分書換を行う。データ「１」によって駆動された各画素は画面にパターン“０”を形成する。
【００２１】
次に、図１のＣに示すように、パターンの書換を行うために“０”を消去する。この消去はパターン“０”部分を構成した各画素のデータ「１」を反転した画像データで表示器を駆動することによって行われる。このとき、同図に示すように、パターン“０”の輪郭に残像が発生する。
【００２２】
次に、図１のＤに示すように、画像メモリのパターン“１”に対応する各画素にデータ「１」を書き込んで先のパターン“０”を表示した領域にパターン“１”を表示する。その結果、図１のＤのようにパターン“１”の表示中にパターン“０”の輪郭の残像が存在する表示となる。
【００２３】
既述したように、書込のパターンよりも大きい消去パターンで書換を行えば輪郭残像を消去することができるが、書込のエネルギーよりも消去のエネルギーが大となる結果、ＤＣバランスがとれなくなる。
【００２４】
図２は、輪郭残像が発生する理由を説明する説明図である。輪郭残像が発生する理由は正確に解明されたわけではないが、概略、以下のように説明することができる。
まず、図２（Ａ）に示すように、部分書換駆動の場合には、画素電極側から共通電極に向かう電気力線が発生する。この電気力線は画素電極の中央部では真っ直ぐで平行であるが、画素電極の端部外周側では斜めに広がる。この電気力線が斜めの部分の電界（斜め電界）は図示しないマイクロカプセル内の帯電粒子を斜め方向に移動させる。帯電粒子はマイクロカプセルの側壁に向かって移動して側壁にへばりつく。
【００２５】
次に、部分消去駆動を行った場合、図２（Ｂ）に示すように、共通電極側から画素電極に向かって逆方向に電気力線が発生する。このうちの斜めの電界はマイクロカプセルの側壁にへばりついた帯電粒子を剥がすように作用するが、画素電極の端部外周側の電界は弱い。一旦マイクロカプセルの側壁にへばりついた帯電粒子を剥がすにはより大きな電界が必要となり、帯電粒子が壁面に残る。これが輪郭残像となると考えられる。
【００２６】
そこで、本発明は、部分書換駆動時の斜め電界を消去時の斜め電界よりも相対的に弱くして帯電粒子の側壁にへばりつきを弱めて輪郭残像の発生を防止する。また、部分消去駆動時の斜め電界を部分書換駆動時の斜め電界よりも相対的に強くすることによって側壁にへばりついた帯電粒子を引き剥がして輪郭残像の発生を防止する。
【００２７】
図３は、部分書換駆動時の斜め電界を弱くする方法を説明する図である。
部分書換駆動時の斜め電界を弱くする方法を種々検討したところ、パターン面積あるいはパターン幅が少なくすると、斜め電界が弱くなることがわかった。
【００２８】
図３（Ａ）に示すように、例えば、表示基画像のパターン“０”を表示する場合、このパターンを内外方向（あるいはパターン輪郭の接線に対して直角方向）において複数に分割し、パターン幅の狭い複数の分割パターンに分ける。図示の例では、基のパターン“０”をその内周側の分割画像Ａ、中央部の分割画像Ｃ、外周側の分割画像Ｂの各分割パターンに分けている。また、分割画像Ａと分割画像Ｂとからなる分割画像ＡＢとした場合も各分割画像の斜め電界は基画像よりも弱い。
【００２９】
このように、分割した複数のパターンＡ、Ｂ及びＣで順次書込を行って（弱い斜め電界で）部分書換を行い、分割しない基画像の表示基画像パターン（パターンＡ＋Ｂ＋Ｃ）で（強い斜め電界で）部分消去駆動を行うことで輪郭残像の発生を防止する。なお、パターンの書込の順番はそれほど重要ではないが、中央部パターンＣ、一端部パターンＡ（あるいはＢ）、他端部パターンＢ（あるいはＡ）の順が見た感じが自然で好ましい。また、中央部パターンＣ、両端部パターンＡＢの順番でも良い。
【００３０】
上述の方法によれば、部分書換の書込パターンの面積と部分消去パターンの面積が等しいのでＤＣバランスが保たれる。
また、パターンＡ、Ｂの斜め電界を弱くするために、パターンＡ、Ｂの駆動は中央部パターンＣの駆動より弱くしても良い。後述のように、駆動パルスのパルス幅を短くしても良い。駆動パルス数を減らす、駆動電圧を下げる、といった方法でもよい。
また、部分消去も分割パターンで行ってもよい。後述のように、例えば、中央部パターンＣ、両端部パターンＡＢで部分消去を行う場合に、両端部パターンＡＢの消去駆動パルスの幅、数、電圧レベルなどを書込みの場合の駆動パルスよりも大きく（多く）することで残像の除去効果を高めることができる。
【００３１】
なお、部分書換駆動のエネルギーと部分消去のエネルギーとが可及的にバランスするように設定するのが望ましいが、多少のアンバランスがあってもＤＣアンバランスによる不具合を顕在化させるものではない。
【００３２】
（実施例１）
図４乃至図８は、本発明の第１の実施例を説明する図である。
図４は、本発明の電気泳動表示装置の駆動方法を使用する時計装置の例を示している。時計装置は、時間表示などを設定する図示しないスイッチ類などからなる入力部２と、時刻やカレンダーなどの表示データを表示器に出力する時計コンピュータ４、表示データを可視画像として表示する電気泳動表示装置６などによって構成されている。これ等装置は、公知のもので構成することができる。
【００３３】
時計コンピュータ４は、図示しないＣＰＵ、ＲＡＭ、ＲＯＭ、入出力インタフェースなどを備える。ＲＯＭにはＣＰＵによって実行される、各部の制御プログラム、日時曜日を表示する時計プログラム、カレンダーを表示するプログラム等などの他、上述した各表示パターンの分割パターンを予め記憶している。
【００３４】
図５は、電気泳動表示装置６の構成例を示している。例えば、上述した特開２００７−２０６２６７号公報、特開２００８−２４２３８３号公報に記載のものを使用することが出来るが、これ等に限定されるものではない。
【００３５】
電気泳動表示装置はアクティブマトリクス型の表示器であり、基板１０上にマトリクス状に配列された画素回路２０を備えている。すなわち、各画素回路２０は、列方向（図１において縦方向）に沿って延設された複数のデータ線Ｘと、行方向（図５において横方向）に沿って延設された複数の走査線（ゲート線）Ｙとの交差部にそれぞれ配設されている。各画素回路２０は、後述するスイッチング素子、画素メモリ、トランスファーゲート等を含むデータセット部２１と、画素電極Ｐとを備えている。この各画素回路２０のデータセット部２１には、列方向に延設された電源線ＶＥＰが接続されている。各走査線Ｙは走査線駆動回路１１に接続され、各データ線Ｘはデータ線駆動回路１２に接続され、各電源線ＶＥＰは電源線制御回路１３に接続されている。なお、後述する対向基板３０に形成された共通電極ＣＯＭは、バス表示されている配線Ｃを介して共通電極制御回路１４に接続されている。なお、配線Ｃは作図の便宜のため複数の配線（後述のＶｃｏｍ，ＶＰＩＸ，Ｓ１，Ｓ２）を表している。
【００３６】
走査線駆動回路１１、データ線駆動回路１２、電源線制御回路１３及び共通電極制御回路１４を統括制御するコントローラ１５は、画像信号処理回路及びタイミングジェネレータを含んで構成されている。ここで、画像信号処理回路は、時計コンピュータ４から表示データ信号や各種の制御信号を受けて、画像データ、電源線制御信号及び共通電極制御信号を生成し、それぞれをデータ線駆動回路１２、電源線制御回路１３及び共通電極制御回路１４に出力する。また、画像信号処理回路は、リセットデータを生成し、そのリセットデータをデータ線駆動回路１２、電源線制御回路１３及び共通電極制御回路１４に出力する。タイミングジェネレータは、画像データやリセットデータ等が画像信号処理回路から出力されるときに、走査線駆動回路１１及びデータ線駆動回路１２を制御するための各種タイミング信号を生成する。
【００３７】
走査線駆動回路１１は、コントローラ１５からの各種タイミング信号に基づいて、所定のタイミングで走査線Ｙを順次選択する走査信号を各走査線に出力する。
【００３８】
データ線駆動回路１２は、コントローラ１５からの画像データ及びリセットデータに基づいて各データ線Ｘに供給するデータ信号を生成する。また、データ線駆動回路１２は、コントローラ１５からのタイミング信号に基づいて、生成したデータ信号を、走査線駆動回路１１により選択されている走査線Ｙに接続されている画素回路２０群に出力する。
【００３９】
電源線制御回路１３は、コントローラ１５からの電源線制御信号に基づいて、各画素回路２０に各電源線ＶＥＰ，ＶＰＩＸを通じて所定電圧値の電源電位を供給する。電源線制御回路１３は、コントローラ１５からの指令信号に基づいて、高電圧ＨＶ（例えば、１５［Ｖ］）と低電圧ＬＶ（例えば、５［Ｖ］）とを電源電圧ＶＥＰとして各画素回路２０に供給する。
【００４０】
共通電極制御回路１４は、コントローラ１５からの共通電極制御信号に基づいて、共通電極ＣＯＭにバス状配線（複数の線の束）Ｃを通じて反転駆動信号を供給する。共通電極制御回路１４は、コントローラ１５からのリセットデータに基づいて、消去用高電圧ＨＶ（例えば、１５［Ｖ］）を共通電極ＣＯＭに配線Ｃを通じて供給する。また、共通電極制御回路１４は、コントローラ１５からの指令信号に基づいて、バス配線Ｃの駆動信号線Ｓ１，Ｓ２の電位（例えば、１５［Ｖ］、０［Ｖ］）を設定する。
【００４１】
図６は、電気泳動表示装置の各画素回路２０の内部構成を示す回路図である。同図に示すように、各画素回路２０は、スイッチング用のＮＭＯＳトランジスタＱ１と、２つのＣＭＯＳインバータからなるラッチ（画素メモリ）Ｍと、Ｐ型とＮ型のトランジスタによって構成される並列接続された２つのトランスファーゲート、画素電極Ｐとを備えている。相補的に動作する２つのトランスファーゲートの各ゲートには画素メモリＭの出力が印加され、２つのトランスファーゲートの各一端には信号Ｓ１及びＳ２がそれぞれ供給され、各他端は共に画素電極Ｐに接続されている。
【００４２】
この電気泳動表示装置では、まず、画像データを低電圧で画素メモリＭに書き込む。その後、全黒、・全白消去、反転消去、正画像などの一連の描画シーケンス時に、画像データの再書き込みなしに信号Ｓ１とＳ２のＨ，Ｌの組みあわせで描画行うことができる。
【００４３】
図７は、画素回路２０の機能を簡便に表現した図である。メモリＭの保持値（Ｈ，Ｌ）によって２つのトランスファーゲ―トの導通が相補的に制御され、画素電極に中継される信号電圧Ｓ１又はＳ２が選択される。
【００４４】
図８は、信号電圧Ｓ１及びＳ２の出力（Ｈ，Ｌ）と表示画素回路の信号状態と表示画像状態を説明する図である。同図に示すように、全画像を黒表示する場合は、信号電圧Ｓ１及びＳ２の出力を共にＨレベル（例えば、１５［Ｖ］）に設定することによって、メモリＭの保持値に関係なく表示器の画素を黒表示とすることができる。全画像を白表示する場合は、信号電圧Ｓ１及びＳ２の出力を共にＬレベル（例えば、０［Ｖ］）に設定することによって、メモリＭの保持値に関係なく表示器の画素を白表示とすることができる。
【００４５】
メモリＭに保持値された画像（画素）を正画像として表示する場合には、信号Ｓ１をＨレベルとし、信号Ｓ２をＬベルとすることによって、メモリＭの保持値に対応した画像（正画像）が表示器に表示される。
【００４６】
メモリＭに保持値された画像（画素）を反転画像として表示する場合には、信号Ｓ１をＬレベルとし、信号Ｓ２をＨベルとすることによって、メモリＭに保持した画像（正画像）と白黒（あるいは色彩）を反転した画像が表示器に表示される。
【００４７】
図９は、実施例１における書換動作及び消去動作を説明する信号タイミング図である。各信号線は、当初画素回路と電気的に遮断状態（ハイ・インピーダンス；ＨｉＺ）となっている。実施例１では、図３に示すように、部分書換駆動時に表示基画像を複数パターンに分割駆動することで輪郭残像の発生を抑制し、斜め電界により発生した輪郭残像をより強い斜め電界が発生する表示基画像の全体パターンで消去する。
【００４８】
図９に示すように、電源ＶＥＰがＨｉＺから５［Ｖ］となっていることによって画素回路２０のメモリＭが動作可能である。
部分駆動の書換動作モードにおいて、時計コンピュータ４が中央部パターンＣの表示データをコントローラ１５に出力すると、コントローラ１５は画素データに分けて該当する各画素メモリＭに転送する。
【００４９】
次に、コントローラ１５は中央部パターンＣの書換駆動を行う。コントローラ１５は電源ＶＥＰを１５［Ｖ］に上昇して、メモリＭへの書込の閾値を上昇させ、メモリＭの出力を固定する。共通電極電圧ＶCOMを０［Ｖ］とし、書き込み可能とする。書込期間中、信号Ｓ１を０［Ｖ］状態とし、信号Ｓ２をＬレベル（０［Ｖ］）とＨレベル（１５［Ｖ］）に変化させることによって駆動パルスを複数形成して画素電極Ｐに供給する。これによって、表示器に分割画像Ｃのパターンが表示される。なお、インバータを用いたメモリＭには入力データの反転値が保持されるので、信号Ｓ１及びＳ２の組み合わせは「反転」のモードを選択している。その後、電源ＶＥＰは５［Ｖ］に設定され、他の信号線は電気的な遮断状態ＨｉＺに設定される。
【００５０】
同様に、時計コンピュータ４が分割画像パターンＡＢの表示データをコントローラ１５に出力すると、コントローラ１５は画素データに分けて該当する各画素メモリＭに転送する。コントローラ１５はパターンＡＢの書換駆動を行う。コントローラ１５は電源ＶＥＰを１５［Ｖ］に上昇して、メモリＭへの書込の閾値を上昇させ、メモリＭの出力を固定する。共通電極電圧ＶCOMを０［Ｖ］とし、書き込み可能とする。書込期間中、信号Ｓ１を０［Ｖ］状態とし、信号Ｓ２をＬレベル（０［Ｖ］）とＨレベル（１５［Ｖ］）に変化させることによって駆動パルスを複数形成して画素電極Ｐに供給する。これによって、表示器に分割画像ＡＢのパターンが表示される。その後、電源ＶＥＰは５［Ｖ］に設定され、他の信号線は電気的な遮断状態ＨｉＺに設定される。
【００５１】
このようにして、中央部パターンＣ、両端部パターンＡＢが書き込まれて、表示基画像全体が表示される。
【００５２】
次に、部分駆動による消去動作について説明する。時計コンピュータ４が表示基画像パターンの表示データをコントローラ１５に出力すると、コントローラ１５は画素データに分けて該当する各画素メモリＭに転送する。コントローラ１５は基画像パターンの消去駆動を行う。コントローラ１５は電源ＶＥＰを１５［Ｖ］に上昇して、メモリＭへの書込の閾値を上昇させ、メモリＭの出力を固定する。共通電極電圧ＶCOMを１５［Ｖ］とし、電界方向を反転して消去書き込み可能とする。消去期間中、信号Ｓ１を１５［Ｖ］状態とし、信号Ｓ２をＬレベル（０［Ｖ］）とＨレベル（１５［Ｖ］）に変化させることによって駆動パルスを複数形成して画素電極Ｐに供給する。これによって、表示器に表示基画像の反転パターンを表示するように駆動がなされ、表示されていた表示基画像は消滅する。その後、電源ＶＥＰは５［Ｖ］に設定され、他の信号線は電気的な遮断状態ＨｉＺに設定される。
【００５３】
このようにして、書換時に領域分割された中央部パターンＣ、両端部パターンＡＢが時分割的に書き込まれて表示基画像全体が表示される。その後、消去時に表示されている画像を表示基画像全体で一時に消去することが行われる。弱い斜め電界で生じた輪郭残像は強い斜め電界で消去されることによって取り除かれる。
【００５４】
（実施例２）
図１０は、実施例２における書換動作を説明する信号タイミング図である。この実施例においては中央部パターンの書換駆動と消去駆動は実施例１と同様であるのでその説明を省略する。
【００５５】
この実施例では、両端部パターンＡＢを書き換えるときに信号Ｓ２のパルス幅を実例１の場合よりも狭くしている。両端部パターンＡＢの駆動パルスの幅を中央部部パターンＣのパルス幅よりも減少して斜め電界を弱くし、輪郭残像の発生を防止している。また、両端部パターンＡＢの駆動パルスのパルス数やパルス電圧を中央部部パターンＣのパルスより下げても同じ効果が得られる。
【００５６】
（実施例３）
図１１は、実施例３における消去動作を説明する信号タイミング図である。この実施例においては中央部パターンと両端部パターンＡＢの書換駆動は実施例１又は２と同様であるのでその説明を省略する。
【００５７】
実施例３においては、書換駆動は実施例１と同様に行われるが、消極駆動は一時に表示基画像で行うのでなく、分割パターンＣと分割パターンＡＢとで時分割的に消去を行っている。このときに、パターンＣの消去駆動パルスの幅よりもパターンＡＢの消極駆動パルスの幅を大きくしている。それにより、消去のための斜め電界を大きくて輪郭残像の発生を防止している。
【００５８】
以上説明したように、本発明の実施例では、部分書換え駆動をする表示画像を予め一端部パターン、中央部パターン、他端部パターンのように複数パターンに分割し、部分書換駆動時には、これら３枚（複数枚）の画像を複数回に分けて時分割的に書き換える。書換の順番は特に限定されないが、例えば、中央部パターン、一端部パターン、他端部パターンの順が見た目に好ましい。また、中央部パターン、両端部パターンの順でも良い。そして、部分消去駆動時には、分割しない画像で駆動することで書換え駆動時より斜め電界が強くなり、輪郭残像が残りにくい。
【００５９】
また、一端部、他端部パターンの書換駆動は中央部パターンの書換駆動よりもエネルギーを弱くしても良い。このために駆動パルスのパルス幅を短くする、パルス数を減らす、駆動電圧を下げる、といった方法がとり得る。また、部分書換え駆動と同様に分割消去駆動する場合には、一端部パターン、他端部パターンの駆動を中央部パターンよりも強めることでより輪郭残像が残りにくくなる。
【００６０】
なお、ＤＣバランスのくずれを最小限に抑えることが重要であるが、性能に影響しない程度のＤＣアンバランスは許容範囲である。
また、本発明においては、画素回路は上述した９トランジスタタイプのものに限られない。１トランジスタ１キャパシタ形の画素回路などの種々のタイプのものが使用できる。
【００６１】
本発明によれば、書換え時に分割駆動することで輪郭残像の発生を抑制し、斜め電界により発生した輪郭残像を斜め電界だけで取り除くことができる。従って、膨張画像やエッジ画像によって本来駆動されない画素部分を駆動することで生じるＤＣアンバランスを回避することができ、輪郭残像対策として好ましい。
【符号の説明】
【００６２】
２  入力部、４  時計コンピュータ、６  電気泳動表示装置、１０  基板、１１  そ走査線駆動回路、１２  データ線駆動回路、１３  電源線駆動回路、１４  共通電極駆動回路、１５  コントローラ、２０  画素回路、Ｍ  メモリ、Ｔ  トランスファーゲ―ト、Ｐ  画素電極
【図１】
2011227147.tif 000003
【図２】
2011227147.tif 000004
【図３】
2011227147.tif 000005
【図４】
2011227147.tif 000006
【図６】
2011227147.tif 000007
【図７】
2011227147.tif 000008
【図８】
2011227147.tif 000009
【図９】
2011227147.tif 000010
【図１０】
2011227147.tif 000011
【図１１】
2011227147.tif 000012
【図５】
2011227147.tif 000013